(57)【要約】【課題】本発明は、低背コネクタに関し、コンタクト同士の嵌合をプリント基板面に直交する垂直型にするとともに、嵌合時のコンタクトの過大な変形を防止して、良好なクリック感を得るようにして、落下時におけるコネクタ嵌合外れを防止することが課題である。【解決手段】プリント基板に実装されるコネクタのコンタクトであって、前記コネクタにおけるハウジングに固着され前記プリント基板側に電気的に接続する基部と、この基部から前記プリント基板面に沿って延設される首部と、該首部から前記プリント基板面に対して起立されて相手側コンタクトと弾性的に接触して電気的に接続される接触部とからなるコンタクト２において、前記基部と接触部との間における首部２ｂに、前記基板面４ａに当接する補強突起２ｄを突設した低背コネクタ１とする。【選択図】図１
2008034283.tif 000002
【特許請求の範囲】
【請求項１】
プリント基板に実装されるコネクタにおけるコンタクトが、前記コネクタにおけるハウジングに固着され前記プリント基板側に電気的に接続する基部と、この基部から前記プリント基板面に沿って延設される首部と、該首部から前記プリント基板面に対して起立されて相手側コンタクトと弾性的に接触して電気的に接続される接触部とからなる低背コネクタにおいて、
前記コンタクトにおける前記基部と接触部との間における首部に、前記基板面に当接させる補強突起を突設したこと、
を特徴とする低背コネクタ。
【請求項２】
補強突起は、複数個のコンタクトが平行に併設されているコンタクトにおいて隣接するコンタクトの補強突起が一つおきにプリント基板に固着されていること、
を特徴とする請求項１に記載の低背コネクタ。
【発明の詳細な説明】
【技術分野】
【０００１】
本発明は、例えば、プリント基板に実装される低背のコネクタに係り、更に詳しくは、レセプタクルコネクタとプラグコネクタとの挿抜において、コンタクトの過大な変形の防止すると共に、嵌合時におけるクリック感を良好に得るようにする低背コネクタに関するものである。
【背景技術】
【０００２】
従来、携帯電話，デジタルカメラ、ノート型パソコン等の電子機器の薄型化に伴い、プリント基板に実装されるコネクタ同士の嵌合においても、有効スペースを確保するため、更なる低背化が求められている。
【０００３】
例えば、従来例１として、略Ｌ字形状の絶縁体と、絶縁体のＬ字の内側の一方の面に設けられた溝部に相手方の低背コネクタの電極部と接触させるための電極部が引き入られ、この溝部に連続した支持体の開口部に電極部から伸びた係合部が固定され、この係合部から伸びた端子部を有する導電体と、絶縁体の溝部を設けた面の両端に相手方の低背コネクタの凹部と嵌合する凸部及び相手方の低背コネクタの凸部と嵌合する凹部とを備えてなる低背コネクタが知られている（特許文献１参照）。
【０００４】
また、従来例２として、フレキシブルプリント基板等が挿入される嵌合部を有するハウジングを具える低背コネクタにおいて、コンタクトはハウジングより突出されるとともに、ハード基板若しくはフレキシブルプリント基板に対し平行に配置され、コンタクトにはハード基板若しくはフレキシブルプリント基板側に接触部を設け、少なくとも染色若しくはハウジングから突出した部分は前記ハウジングに覆われていないようにしている低背コネクタが知られている（特許文献２参照）。
【特許文献１】特開平０９−７３９５９号公報
【特許文献２】特開２００５−１４１９５６号公報
【発明の開示】
【発明が解決しようとする課題】
【０００５】
しかし、従来例１の低背コネクタにおいては、絶縁体をＬ字形状にしてプリント基板に平行にしてスライドさせながら嵌合させるので、コネクタ周囲において嵌合方向にスペースが必要となり、プリント基板の平面に対して垂直方向に嵌合させる垂直型に比べて、有効スペースが減少し、高密度実装に不利となる。また、従来例２のコネクタにおいては、
フレキシブルプリント基板やフレキシブルケーブルをプリント基板に実装したコネクタに対してそのプリント基板に平行にして挿入させるタイプであるため、やはり、コネクタの周囲には電子部品を配置できないスペースが必要となり、前記垂直型に比して有効スペースが減少する。そこで、図７（Ａ），（Ｂ）に示すように、プリント基板１９に実装する、垂直型でレセプタクルコネクタ２０とプラグコネクタ２１とを形成している。
【０００６】
しかしながら、図８に示すように、前記レセプタクルコネクタ２０，プラグコネクタ２１の嵌合時に、プラグコネクタ２１を一方のレセプタクルコネクタ２０の中にほぼ完全に収納する構造にして、コネクタ全体の高さＨを低背にすると、レセプタクルコネクタ２０のコンタクト２２における首部分２２ｃの幅ｔが一層細くなるとともに、基部２２ａから接触部２２ｂまでの距離Ｌ１が長くなる。図７（Ａ）に示す、不完全な収納型のコンタクト２２における基部と接触部との距離Ｌ２と比較して、Ｌ１＞Ｌ２となっている。
【０００７】
このため、前記コンタクト２２のスチフネス（硬さ、変形に対する強さ）が脆弱になる。よって、図８に示すように、プラグコネクタ２１を装着する際に、プラグコネクタ２１側のコンタクト２３の接触部２３ａにおけるクリック用突起２３ｂと当接して、前記コンタクト２２の接触部２２ｂが下に撓んで変形する。よって、この突起２３ｂを乗り越えて、正常な嵌合状態となることができなくなるおそれがある。
【０００８】
また、図９に示すように、前記プラグコネクタ２１をレセプタクルコネクタ２０から抜去する際に、前記コンタクト２３の突起２３ｂが、コンタクト２２の接触部２２ｂに引っかかって係合解除されず、コンタクト２２の長い首部分２２ｃが上に持ち上げられて変形してしまうおそれがある。このように、垂直型のコンタクトにして低背コネクタにした場合に、コンタクト２２の首部分２２ｃが長くなりずぎ、しかも幅ｔも細いので、正常な接触状態を得るために必要なスチフネスが不足するという課題がある。更に、低背コネクタの垂直型コンタクトにおいては、コンタクト同士の嵌合長さが非常に短いので、落下時の振動等による外力でコンタクト同士の嵌合が外れて、コネクタの嵌合外れとなるという課題がある。本発明に係る低背コネクタは、このような課題を解決するために提案されたものである。
【課題を解決するための手段】
【０００９】
本発明に係る低背コネクタの上記課題を解決して目的を達成するための要旨は、プリント基板に実装されるコネクタにおけるコンタクトが、前記コネクタにおけるハウジングに固着され前記プリント基板側に電気的に接続する基部と、この基部から前記プリント基板面に沿って延設される首部と、該首部から前記プリント基板面に対して起立されて相手側コンタクトと弾性的に接触して電気的に接続される接触部とからなる低背コネクタにおいて、前記コンタクトにおける前記基部と接触部との間における首部に、前記基板面に当接させる補強突起を突設したことである。
【００１０】
前記補強突起は、複数個のコンタクトが平行に併設されているコンタクトにおいて隣接するコンタクトの補強突起が一つおきにプリント基板に固着されていること、を含むものである。
【発明の効果】
【００１１】
本発明の低背コネクタによれば、補強突起を基板側に半田付けなどにより固着する事で、コネクタ同士の嵌合や抜去の際に、過大に変形することが防止される。これにより、正常なコンタクトの嵌合若しくは抜去が確実になされるようになる。コンタクトの接触部における突起により、嵌合時のクリック感が得られ、確実に嵌合したことが判る。
また、前記補強突起は、複数個のコンタクトが平行に併設されているコンタクトにおいて隣接するコンタクトの補強突起に対して、千鳥配置になっているので、狭小スペースでもプリント基板上に半田付けして固着し配設する事が可能となる。
【発明を実施するための最良の形態】
【００１２】
本発明に係る低背コネクタ１は、図１に示すように、プリント基板４に実装される低背のレセプタクルコネクタ１である。このコネクタ１には、当該コネクタ１が実装されるプリント基板４面に直交する方向に接触する垂直型のコンタクト２が、図１の紙面直交方向に複数個併設されている。
【００１３】
前記コンタクト２は、前記コネクタ１における絶縁性ハウジング３に固着され前記プリント基板４側に電気的に接続する基部２ａ１，２ａ２と、この基部２ａ１，２ａ２から前記プリント基板面４ａに沿って延設される首部２ｂと、該首部２ｂから前記プリント基板面４ａに対して起立されて、図１（Ｂ）に示すプラグコネクタ６の相手側コンタクト５と弾性的に接触して電気的に接続される接触部２ｃとからなる。
【００１４】
なお、図２（Ａ）に示すように、前記基部２ａ１，２ａ２は、コンタクト２を併設する方向にピッチを詰めて配列させるので、プリント基板４上のパッドが互いに接近しすぎることになり、ハンダがブリッジしないように、図２（Ｂ）に示すように、パッドａ，ｂを千鳥配置に設定するので、この基部２ａ１，２ａ２も隣接するコンタクト２の併設方向において千鳥配置になっている。前記パッドａが、前記基部２ａ２用であり、前記パッドｂが前記基部２ａ１用である。
【００１５】
そして、前記コンタクト２は、図２（Ａ）に示すように、前記基部２ａ１，２ａ２と接触部２ｃとの間における首部２ｂに、前記プリント基板面４ａに当接させる補強突起２ｄを突設してなる。そして、図２（Ａ）に示すように、前記基部２ａ１における補強突起２ｄ１は、基部２ａ１と接触部２ｃとの距離Ｌ３が、距離Ｌ１よりも短いので強度的に強いので、引き抜きの時にも、上に変形される量が少ないことから、プリント基板４にハンダ付けによる固着はしない。
【００１６】
一方、基部２ａ２における補強突起２ｄ２は、当該基部２ａ２と接触部２ｃとの距離Ｌ１が非常に長いので撓みやすく、引き抜きの時、上に変形される量が多いことから、図２（Ｂ）に示すように、プリント基板４にパッドｃを設けて、ハンダ付けして固着する。
【００１７】
このように、前記補強突起２ｄは、図２（Ａ）に示すように、複数個のコンタクト２，２…が平行に併設されているコンタクト１において、隣接するコンタクト２の補強突起２ｄが一つおきにプリント基板に固着されている。なお、図において、符号２ｅは、ハウジング３に圧入するための固定部を示している、符号５ｃは、相手側コンタクト５の接触部、５ｅは、同固定部を示している。
【００１８】
以上のようにしてなる低背コネクタ１を使用すれば、図４に示すように、例えば、プリント基板４に実装された低背コネクタ１に、プラグコネクタ６を装着させる時に、コンタクト２の接触部２ｃは、相手側コンタクト５の接触部５ｃに摺接して下に押されるが、補強突起２ｄ１，２ｄ２がプリント基板面４ａに当接して反力を得ることができて、コンタクト２のスチフネスが強化され、変形量が少なく、嵌合状態が良好になる。また、両コンタクト２，５の係合する突起２ｆ，５ｆが、互いに嵌合方向へ乗り越えるので、良好なクリック感が得られる。
【００１９】
また、コネクタ１，６の落下時に、図５に示すように、抜去方向に突起２ｆ，５ｆ同士がぶつかっていて、コンタクト２の首部２ｂのスチフネスが補強されているので、コンタクト２，５の嵌合が外れにくくなっている。
【００２０】
次に、前記プラグコネクタ６を抜去する時には、図５に示すように、コンタクト２の補強突起２ｄ２がプリント基板４にハンダ付けされているので、前記接触部２ｃまでの距離が短くスチフネスが強く、上に撓む量が少なく変形量が少ない。一方、図６に示すように、補強突起２ｄ１をプリント基板４にハンダ付けしていないコンタクト２においては、抜去時に、接触部２ｃ，５ｃの突起２ｆ，５ｆが当接すると、首部２ｂが上に持ち上げられるが、基部２ａ１と接触部２ｃとの距離Ｌ６が比較的短いので、過度に変形することがない。なお、前記両突起２ｆ，５ｆが互いに相手を抜去方向に乗り越えるので、この場合にもクリック感が得られる。
【図面の簡単な説明】
【００２１】
【図１】本発明に係る低背コネクタ１の縦断面図（Ａ）と、プラグコネクタ６の縦断面図（Ｂ）とである。
【図２】同本発明の低背コネクタ１における２種類のコンタクト２の側面図（Ａ）と、プリント基板４上のパッドａ，ｂ，ｃの配置を示す説明図（Ｂ）とである。
【図３】同低背コネクタ１とプラグコネクタ６とを嵌合させた状態の半断面図である。
【図４】同低背コネクタ１の使用状態を示す縦断面図である。
【図５】同低背コネクタ１における、抜去時のコンタクト２において、補強突起２ｄ２がプリント基板４にハンダ付けされている場合の変形状態を説明する説明図である。
【図６】同低背コネクタ１における、抜去時のコンタクト２において、補強突起２ｄ１がプリント基板４にハンダ付けされていない場合の変形状態を説明する説明図である。
【図７】従来例に係るレセプタクルコネクタ２０の縦断面図（Ａ）と、プラグコネクタ２１との嵌合の様子を示す説明図（Ｂ）とである。
【図８】同従来例において、レセプタクルコネクタ２０にプラグコネクタ２１を挿入してロックが不完全になった状態を示す説明図である。
【図９】同従来例において、レセプタクルコネクタ２０からプラグコネクタ２１を抜去するときに、コンタクト２２の首部分２２ｃが変形した様子を示す説明図である。
【符号の説明】
【００２２】
１          低背コネクタ、
２          コンタクト、                    ２ａ１，２ａ２          基部、
２ｂ        首部、                          ２ｃ                    接触部、
２ｄ        補強突起、                      ２ｄ１，２ｄ２          補強突起、
２ｅ        固定部、                        ２ｆ                    突起、      ３          ハウジング、
４          プリント基板、            
４ａ        プリント基板面、
５          コンタクト、                    ５ｃ                    接触部、
５ｅ        固定部、                        ５ｆ                    突起、  
６          プラグコネクタ。
【図１】
2008034283.tif 000003
【図２】
2008034283.tif 000004
【図３】
2008034283.tif 000005
【図４】
2008034283.tif 000006
【図５】
2008034283.tif 000007
【図６】
2008034283.tif 000008
【図７】
2008034283.tif 000009
【図８】
2008034283.tif 000010
【図９】
2008034283.tif 000011